(57)【要約】【課題】  重りの材料として鉛に代わる代替材料を用いながら、重りを鍵本体に容易に且つ緩みを生じることなく安定して取り付けることができる鍵盤楽器の鍵を提供する。【解決手段】  貫通する埋設孔９を形成した揺動自在の鍵本体２と、外周面にねじ１１が形成され、埋設孔９にねじ込まれた複数の重り４と、埋設孔９に挿入され、複数の重り４の隣り合う２つの間に挟持され、２つの重り４，４を離れ合う方向に付勢する弾性体１４と、を備えている。【選択図】  図３
2005114767.tif 000002
【特許請求の範囲】
【請求項１】
貫通する埋設孔を形成した揺動自在の鍵本体と、
外周面にねじが形成され、前記埋設孔にねじ込まれた複数の重りと、
前記埋設孔に挿入され、前記複数の重りの隣り合う２つの間に挟持され、当該２つの重りを離れ合う方向に付勢する弾性体と、
を備えていることを特徴とする鍵盤楽器の鍵。
【請求項２】
底部を有する埋設穴を形成した揺動自在の鍵本体と、
外周面にねじが形成され、前記埋設穴にねじ込まれた重りと、
前記埋設穴に挿入され、前記重りと前記埋設穴の底部との間に挟持され、前記重りを前記底部と反対側に付勢する弾性体と、
を備えていることを特徴とする鍵盤楽器の鍵。
【請求項３】
前記弾性体は、スプリングワッシャであることを特徴とする、請求項１または２に記載の鍵盤楽器の鍵。
【発明の詳細な説明】
【技術分野】
【０００１】
本発明は、鍵盤楽器の鍵に関し、特に所望のタッチ重さを得るために重りを取り付けたアコースティックピアノの鍵に関する。
【背景技術】
【０００２】
鍵盤楽器、特にグランドピアノなどのアコースティックピアノでは一般に、所要のタッチ重さ（静荷重）を得るために、鍵に重りが取り付けられている。鍵は、前後方向に延び、中央部において支点に揺動自在に支持される鍵本体と、これに取り付けられた重りなどで構成されている。鍵本体の支点よりも手前側（演奏者側）には、側方に貫通する埋設孔が形成されている。重りは、従来一般に鉛で構成され、円柱状に成形されており、埋設孔に挿入された状態で、両側からのかしめによって、鍵本体に取り付けられている。このように、重りの材料として鉛が採用されるのは、金属の中で比重が高い（約１１．３）こと、柔軟性および延性に富むため、成形や加工を行いやすいことや安価であることなどによる。しかし、鉛は有害物質であるため、他の代替材料を使用することが望ましい。
【０００３】
鉛以外の材料で構成された重りを使用した従来の鍵盤楽器の鍵として、例えば特許文献１に開示されたものが知られている。この鍵は、グランドピアノ用のものであり、木製の鍵本体と、これに取り付けられた鉄製の重りなどで構成されている。鍵本体の支点よりも手前側には、側方に貫通する複数の埋設孔が形成されている。重りは、所定のサイズの円柱状のものであり、外周面にはねじが、両端面にはドライバー用のプラス形の溝が形成されている。そして、重りは、ドライバーで埋設孔にねじ込まれることによって、鍵本体に取り付けられている。以上のような重りのねじ込みによって、かしめでは取付不能な鉄製の重りを鍵本体に取り付けるようにしている。
【０００４】
また、このような重りとして、長さが互いに異なる複数種類の重りが用意されている。したがって、ドライバーで埋設孔から重りを取り外し、その埋設孔に、長さすなわち重さの異なる重りを取り付けることによって、鍵のタッチ重さを調整でき、所望のタッチ重さを得ることができる。
【０００５】
しかし、重りは、木製の鍵本体の埋設孔に、単純なねじ込みで取り付けられているので、時間が経過するにしたがって、鍵本体に対して緩みやすくなる。また、鍵本体が木製であるため、比較的軟らかいので、使用が進むにつれて、埋設孔のねじ山が磨耗し、ねじ溝が拡がるおそれがあり、その場合には、重りが鍵本体に対してさらに緩みやすくなる。このような緩みが生じると、演奏時に、重りががたついてしてしまい、その結果、雑音が発生したり、タッチ感が悪化したりする。また、タッチ重さを調整するために重りを交換した場合には、着脱の際に埋設孔のねじ山が削られることによって、上記のような不具合がより発生しやすくなる。
【０００６】
本発明は、上記課題を解決するためになされたものであり、重りの材料として鉛に代わる代替材料を用いながら、重りを鍵本体に容易に且つ緩みを生じることなく安定して取り付けることができる鍵盤楽器の鍵を提供することを目的とする。
【０００７】
【特許文献１】特開２００３−８４７５４号公報（第３頁、第１図）
【発明の開示】
【課題を解決するための手段】
【０００８】
この目的を達成するために、請求項１に係る鍵盤楽器の鍵は、貫通する埋設孔を形成した揺動自在の鍵本体と、外周面にねじが形成され、埋設孔にねじ込まれた複数の重りと、埋設孔に挿入され、複数の重りの隣り合う２つの間に挟持され、２つの重りを離れ合う方向に付勢する弾性体と、を備えていることを特徴とする。
【０００９】
この鍵盤楽器の鍵によれば、鍵本体の貫通する埋設孔に複数の重りがねじ込まれており、これら複数の重りの隣り合う２つの間に弾性体が挟持されていて、２つの重りはこの弾性体によって離れ合う方向に付勢されている。このような弾性体による付勢によって、２つの重りは、それらのねじ山が埋設孔のねじ山に押し付けられた状態で、埋設孔に係止されるので、鍵本体に対する重りの緩みを防止することができる。その結果、雑音の発生や、タッチ感の悪化を防止することができる。
【００１０】
また、鍵本体が例えば木製である場合において、鍵の使用が進むにつれて、埋設孔のねじ山の磨耗により、ねじ溝が拡がったときでも、重りおよび埋設孔のねじ山相互の係合状態が保たれるので、重りの緩みを防止することができる。また、タッチ重さを調整するために、重りを交換する際に、埋設孔のねじ山が削られた場合でも、同じ理由により、重りの緩みを防止できる。
【００１１】
請求項２に係る鍵盤楽器の鍵は、底部を有する埋設穴を形成した揺動自在の鍵本体と、外周面にねじが形成され、埋設穴にねじ込まれた重りと、埋設穴に挿入され、重りと埋設穴の底部との間に挟持され、重りを底部と反対側に付勢する弾性体と、を備えていることを特徴とする。
【００１２】
この鍵盤楽器の鍵によれば、底部を有する埋設穴に重りがねじ込まれており、埋設穴の底部と重りとの間に弾性体が挟持されていて、重りは底部と反対側に付勢されている。したがって、請求項１の場合と同様、弾性体の付勢力により、重りのねじ山が埋設穴のねじ山に押し付けられることによって、重りが埋設穴に係止されるので、鍵本体に対する重りの緩みを防止することができる。その結果、雑音の発生や、タッチ感の悪化を防止できる。また、重りと埋設穴の底部との間に弾性体が挟持されるので、重りが１つでよいとともに、埋設穴に弾性体を挿入した後に、埋設穴に１つの重りをねじ込むだけで、重りを取り付けることができる。このように、請求項１の場合と比較して、重りの数および取付工数が減少するので、製造コストを削減することができる。
【００１３】
請求項３に係る発明は、請求項１または２に記載の鍵盤楽器の鍵において、弾性体は、スプリングワッシャであることを特徴とする。
【００１４】
この構成によれば、弾性体は、スプリングワッシャで構成されているので、鉄などの比較的安価な材料で作製でき、したがって、鍵を安価に作製することができる。
【図面の簡単な説明】
【００１５】
【図１】本発明の第１実施形態によるグランドピアノの鍵を示す斜視図である。
【図２】重りを示す斜視図である。
【図３】重りの（ａ）取付前および（ｂ）取付後における鍵の概略横断面図である。
【図４】本発明の第２実施形態によるグランドピアノの鍵の重りの（ａ）取付前および（ｂ）取付後における概略横断面図である。
【発明を実施するための最良の形態】
【００１６】
以下、本発明の好ましい実施形態を、図面を参照しながら、詳細に説明する。図１は、本発明の第１実施形態によるグランドピアノの鍵（白鍵）を示している。同図に示すように、この鍵１は、鍵本体２、鍵本体２の前部に取り付けられた白鍵カバー３および重り４，４などを備えている。
【００１７】
鍵本体２は、スプルスなどの比較的軽量で、粘り強く、弾力性に富む木質材から成り、矩形の断面を有し、前後方向に延びている。白鍵カバー３は、象牙またはアクリルなどの合成樹脂によりＬ字形に形成されており、鍵本体２の上面前半部および前面に、これらを覆うように接着されている。鍵本体２の上面中央部には中座板５ａが接着され、これらを上下方向に貫通するようにバランスピン孔５が形成されている。そして、このバランスピン孔５が、立設するバランスピン（図示せず）に係合することによって、鍵１が揺動自在に支持されている。また、鍵本体２の下面の前端部にはフロントピン孔６が形成されており、このフロントピン孔６が、立設するフロントピン（図示せず）に係合することによって、鍵１の左右の振れが防止される。
【００１８】
さらに、鍵本体２の上面のバランスピン孔５よりも後ろ側の位置には、キャプスタン座板８ａを介して、キャプスタンスクリュー８が取り付けられており、このキャプスタンスクリュー８の上にアクション（図示せず）が載置される。以上の構成により、鍵１の前部を押鍵したときに、鍵１がバランスピンを中心として揺動するのに伴い、アクションがキャプスタンスクリュー８で突き上げられることで作動する。また、鍵１のタッチ重さは、アクションと鍵１の重さによるバランスピン回りのモーメントのバランスによって定められることになる。
【００１９】
鍵本体２には、重り４，４を後述するスプリングワッシャ１４とともに取り付けるための埋設孔９が形成されている。埋設孔９は、バランスピン孔５よりも手前側の所定位置に、側方に貫通している。また、この埋設孔９は、断面が円形で、所定の径Ｗ１（例えば１３ｍｍ）を有しており、長さは鍵本体２の幅に等しいＬ１（例えば１１ｍｍ）である（図３参照）。
【００２０】
重り４は、鉛以外の材料、例えば鉄（比重：約７．９）で構成されていて、図２に示すように、円柱状のものであり、その外周面にはねじ１１が形成されている。重り４の一方の端面にはドライバー用のプラス形の溝１２が形成されており、他方の端面は、平らに形成され、押圧面１３になっている。また、図３に示す重り４の長さは、埋設孔９の長さＬ１の半分よりも若干短く、ねじ山を含む外径Ｗ２（例えば１５ｍｍ）は、埋設孔９の径Ｗ１よりも若干大きい。以上の構成による重り４は、その溝１２にドライバーを差し込み、鍵本体２の埋設孔９にねじ込むことによって、鍵本体２に取り付けられる。また、このような重り４として、図示しないが、長さが互いに異なる３種類の複数の重り４が用意されており、このうち、図３は最も長い重り４を示している。
【００２１】
スプリングワッシャ１４は、例えば鉄で構成された市販のものであり、図１および図３に示すように、ほぼ１巻き分の板状の巻線で構成されている。このスプリングワッシャ１４の外径は、埋設孔の径Ｗ１よりも若干小さく、圧縮されたときの厚さすなわち巻線の厚さは、Ｌ２（例えば１ｍｍ）に設定されている。
【００２２】
以上の構成の２つの重り４，４およびスプリングワッシャ１４は、鍵本体２の埋設孔９に、次のようにして取り付けられる。図３（ａ）に示すように、まず、１つの重り４を、鍵本体２の埋設孔９の一方の開口（例えば同図の右側）からドライバーでねじ込む。具体的には、重り４の溝１２側の端面が、鍵本体２の側面と面一になるまでねじ込む。次に、埋設孔９の他方の開口（例えば同図の左側）からスプリングワッシャ１４を挿入し、これをすでにねじ込まれた重り４の押圧面１３に当接させた状態で、同じ開口からさらにもう１つの重り４をねじ込む。重り４をある程度ねじ込むと、その重り４の押圧面１３がスプリングワッシャ１４に当接した状態になり、その状態から重り４をさらにねじ込む。これにより、同図（ｂ）に示すように、重り４，４の間にスプリングワッシャ１４が挟持され、圧縮された状態で、重り４，４が埋設孔９に取り付けられる。
【００２３】
この取付状態では、重り４，４は、圧縮されたスプリングワッシャ１４の弾性作用により、離れ合う方向すなわち外方に付勢されており、これらの重り４，４のねじ山が埋設孔９のねじ山に押し付けられることによって、埋設孔９に係止されている。
【００２４】
タッチ重さを調整するために、この取付状態から重り４，４を交換する場合には、一方の重り４を緩め、スプリングワッシャ１４を圧縮状態からもとの状態に戻すことによって、埋設孔９による重り４，４の係止を解除し、各重り４を埋設孔９から取り外す。そして、その埋設孔９に長さが異なる他の重り４，４を、スプリングワッシャ１４とともに上述した方法で取り付ける。
【００２５】
以上のように、本実施形態のグランドピアノの鍵１によれば、鍵本体２の貫通する埋設孔９に、鉄製の２つの重り４，４がねじ込まれており、これらの隣り合う重り４，４の間にスプリングワッシャ１４が挟持されるとともに圧縮されていて、このスプリングワッシャ１４によって、重り４，４が離れ合う方向に付勢されている。このようなスプリングワッシャ１４による付勢によって、重り４，４は、それらのねじ山が埋設孔９のねじ山に押し付けられた状態で、埋設孔９に係止されるので、鍵本体２に対する重り４の緩みを防止することができる。その結果、雑音の発生や、タッチ感の悪化を防止することができる。また、重り４およびスプリングワッシャ１４は鉄製であるため、比較的安価に作製することができ、それにより鍵１を安価に作製することができる。
【００２６】
また、木製の鍵本体２などで構成される鍵１の使用が進むにつれて、埋設孔９のねじ山の磨耗によりねじ溝が拡がった場合でも、重り４および埋設孔９のねじ山相互の係合状態が保たれるので、重り４の緩みを防止することができる。さらに、長さすなわち重さが異なる３種類の複数の重り４が用意されているので、これらの重り４の中から適当な同種類または異種類の２つを選択し、組み合わせることによって、６段階の重さを鍵１に付与することができる。このように、少ない種類の重り４で多段階のタッチ重さを鍵１に付与することができるので、所望のタッチ重さをきめ細かく得ることができる。また、この場合、重り４を交換する際に、埋設孔９のねじ山が削られたときでも、重り４および埋設孔９のねじ山相互の係合状態が保たれるので、重り４の緩みを防止できる。
【００２７】
また、鉄製の重り４（比重：約７．９）は、鉛製の重り（比重：約１１．３）と比較して比重は若干小さいものの、鍵本体２にねじ込みによって取り付られるので、かしめによる取り付け時の衝撃がなく、それによる鍵本体２の割れが生じるおそれがない。したがって、鍵本体２に複数の埋設孔９を前後方向に間隔を詰めて配置することができ、所望のタッチ重さを十分に得ることができる。以上の結果、本実施形態の重り４を鉛製の重りの代替品として十分に使用することができる。
【００２８】
図４は、本発明の第２実施形態によるグランドピアノの鍵２１を示している。本実施形態は、第１実施形態と比較して、埋設穴２４の構成および重り４Ａの数が主に異なるものである。同図において、第１実施形態と同じ構成要素については、同じ符号を用いて示している。同図に示すように、鍵２１の鍵本体２２の側面には、第１実施形態の埋設孔９の代わりに、底部２３を有する埋設穴２４が形成されている。埋設穴２４の深さはＬ３（例えば９．５ｍｍ）であり、径Ｗ１は第１実施形態の埋設孔９の径と同じである
【００２９】
重り４Ａは、第１実施形態の重り４と材質および構成が同じであり、すなわち鉄で構成され、外周面にはねじ１１が形成されていて、埋設穴２４に１つだけ取り付けられる。このため、重り４Ａの長さは、重り４よりも長く設定されている。重り４Ａは、スプリングワッシャ１４とともに鍵本体２２の埋設穴２４に次のようにして取り付けられる。その取付方法は第１実施形態とほぼ同じであり、すなわち、図４（ａ）に示すように、まず、スプリングワッシャ１４を埋設穴２４に挿入し、埋設穴２４の底部２３に当接させる。次に、埋設穴２４に重り４Ａをねじ込むことによって、その押圧面１３と底部２３の間にスプリングワッシャ１４を挟持し、圧縮した状態で、重り４Ａを取り付ける（同図（ｂ）の状態）。
【００３０】
以上の構成によれば、第２実施形態においても、重り４Ａは、スプリングワッシャ１４の付勢力によって外方に付勢され、重り４Ａのねじ山が埋設穴２４のねじ山に押し付けられた状態で埋設穴２４に係止されるので、鍵本体２２に対して緩むことがなく、したがって、前述した第１実施形態による効果をまったく同様に得ることができる。さらに、重り４Ａと埋設穴２４の底部２３との間にスプリングワッシャ１４が挟持されるので、重り４Ａが１つでよいとともに、埋設穴４にスプリングワッシャ１４を挿入した後に、１つの重り４Ａをねじ込むだけで重り４Ａを取り付けることができる。したがって、第１実施形態と比較して、重りの数が減少するとともに、取付工数が減少するので、製造コストを削減することができる。
【００３１】
なお、本発明は、説明した実施形態に限定されることなく、種々の態様で実施することができる。例えば、実施形態では、重り４，４Ａを付勢する弾性体としてスプリングワッシャ１４を用いているが、他の弾性体でもよく、例えば板ばねやゴムなどでもよい。また、重り４，４Ａの材料として、実施形態の鉄に代えて、比重の比較的高い材料、例えばビスマスなどを用いてもよい。さらに、重り４，４Ａを埋設孔９または埋設穴２４に容易にねじ込むことができるように、埋設孔９または埋設穴２４の内面にあらかじめめねじを形成してもよい。
【００３２】
また、第１実施形態では、鍵本体２に形成された埋設孔９の数が１つであるが、これを２つ以上とし、各埋設孔９に重り４，４を取り付けてもよい。また、３種類の重り４が用意されているが、２種類でもよく、４種類以上にすることによって、所望のタッチ重さをさらにきめ細かく得ることができる。さらに、１つの埋設孔９に３つ以上の重り４を取り付け、隣り合う各２つの重り４，４の間にスプリングワッシャ１４を取り付けてもよい。また、第２実施形態において、スプリングワッシャ１４が木製の鍵本体２２の底部２３にめり込むのを防止するために、底部２３とスプリングワッシャ１４の間に金属などの硬い板を設けてもよい。
【００３３】
また、実施形態は、グランドピアノの鍵の例であるが、本発明は、アップライトピアノ、電子ピアノや鍵盤楽器玩具の鍵など、重りが取り付けられるすべての鍵に広く適用することが可能である。その他、本発明の趣旨の範囲内で、細部の構成を適宜、変更することが可能である。
【符号の説明】
【００３４】
１  鍵
２  鍵本体
４  重り
４Ａ  重り
９  埋設孔
１１  ねじ
１４  スプリングワッシャ（弾性体）
２１  鍵
２２  鍵本体
２３  底部
２４  埋設穴
【図１】
2005114767.tif 000003
【図２】
2005114767.tif 000004
【図３】
2005114767.tif 000005
【図４】
2005114767.tif 000006